(57)【要約】      （修正有）【課題】直近の外壁に穴を開け、その貫通穴を利用し、直接大気中の空気を熱源とする空気調和機を提供する。【解決手段】熱源機空調機一体型の空気調和機は、筐体２２の上下を仕切る筐体内部の仕切板１９と、一方に熱源機ユニット２３、他方に空調機ユニット２４とを備えることにより、空調吸気口４より取り入れた室内空気を空調熱交換器２において熱交換する事により冷却した後、空調吹出口１８から送り出すようにし、さらに、外部空気を熱源用送風機６により吸気口９−ａを通じ熱源用熱交換器８を通過し、排気口９−ｂより排気する。その際、空調用熱交換器２により冷却して発生するドレン水をドレン配管を経て一時的に貯蓄するドレン水槽を設けるようにする。【選択図】図１
0003227954.tif 000002
【実用新案登録請求の範囲】
【請求項１】
筐体内部の仕切板により区画された一方に熱源機ユニットが配置され、他方の区画に空調機ユニットが配置される熱源機空調機一体型の空気調和機であって、
前記空調機ユニットは、空調吸気口と空調用送風機と空調用熱交換器と空調吹出口を備え、
前記熱源機ユニットは、熱源用熱交換器と熱源用送風機と吸気口と排気口とを備えており、
前記空調機ユニットは、建物内の空気が空調吸気口を経て空調用送風機により筐体内へ流れ空調用熱交換器を経て空調吹出口より建物内へ排気されるように設置され、
前記熱源機ユニットは、屋外の空気が吸気口を経て熱源送風機により建物内に向かって空気が筐体内に流れ、熱源用熱交換器を経て排気口より屋外へ排気されるよう設置されることを特徴とする空気調和機
【請求項２】
前記筐体内部に、空調用熱交換器と熱源用熱交換器とが冷媒配管により接続されたヒートポンプシステムと、排水ポンプと吸気排気口とドレン排水ノズルと冷房時ドレン配管と水位スイッチとドレン水槽とドレン排水管と暖房時ドレン配管とを備え、
ドレン排水は、前記ドレン排水ポンプにより圧送しドレン排水管を通り、前記吸気排気口の先端に設置されたドレン排水ノズルによりスプレー排水させることを特徴とする請求項１記載の空気調和機
【考案の詳細な説明】
【技術分野】
【０００１】  本考案は、特に熱源機空調機一体型の空気調和機に関する。
【背景技術】
【０００２】  従来、中高層マンション、オフィスビル等を空気調和する為には、セントラル空調システムにより冷温水発生機、ボイラー、冷水チラー等で冷温水を作り各室に冷温水を送り、ファンコイルユニット等により空気調和をするか、ビル用マルチエアコンにより大型室外機より各個別の室に冷媒を送り室内機により空気調和がなされている。
セントラル空調システムやビル用マルチエアコンの経年劣化、故障等による更新には、多額の費用と工事期間がかかってしまう。又、レイアウト変更に伴うエアコン変更が自由に出来ない。【０００３】  空気調和機を建物内部の天井裏等に設置する事は従来から考えられており、この種の従来技術としては特許文献１があり、ドレン水のスプレーノズルによる噴霧処理は、特許文献２に記載のものがあった。
【先行技術文献】
【０００４】
【特許文献１】特開２０１５−１５８３３８号公報
【特許文献２】特開平１１−１０８３８９号公報
【考案の概要】
【考案が解決しようとする課題】
【０００５】  上記特許文献１では、天井埋込型熱源機と室内機が別々となっているので、現場工事が必要である。熱源とする空気の吸排気開口穴は、外部からの工事が必要である。更にドレン排水の処理が必要である。【０００６】  上記特許文献２では、ドレン水の処理を、空気調和機の内部空間へスプレーノズルから噴霧するので、空気調和機の内部で水蒸気に変換できない水滴がエリミネーター以外の壁面で水滴となり貯留してしまうという課題があった。
【課題を解決する為の手段】
【０００７】  本考案の目的は、個別に設置できる一体型のエアコンとする為に、直近の外壁に穴を開けその貫通穴を利用し、直接大気中の空気を熱源とする空気調和機を得ることにある。さらに、高層ビルや外側からの作業の不可能な場所において、建物の内側から外壁に穴を開けて、その貫通穴を利用して建物の外から熱源空気を取り入れることができる空気調和機を得ることにある。
【０００８】  上記目的を達成するため、筐体内部の仕切板により区画された一方に熱源機ユニットが配置され、他方の区画に空調機ユニットが配置される熱源機空調機一体型の空気調和機であって、前記空調機ユニットは、空調吸気口と空調用送風機と空調用熱交換器と空調吹出口を備え、前記熱源機ユニットは、熱源用熱交換器と熱源用送風機と吸気口と排気口とを備えており、前記空調機ユニットは、建物内の空気が空調吸気口を経て空調用送風機により筐体内へ流れ空調用熱交換器を経て空調吹出口より建物内へ排気されるように設置され、前記熱源機ユニットは、屋外の空気が吸気口を経て熱源送風機により建物内に向かって空気が筐体内に流れ、熱源用熱交換器を経て排気口より屋外へ排気されるよう設置されることを特徴とする。
【０００９】  また、本考案は、前記筐体内部に、空調用熱交換器と熱源用熱交換器とが冷媒配管により接続されたヒートポンプシステムと排水ポンプと吸気排気口とドレン排水ノズルと冷房時ドレン配管と水位スイッチとドレン水槽とドレン排水管と暖房時ドレン配管とを備え、ドレン排水は、前記ドレン排水ポンプにより圧送しドレン排水管を通り、前記吸気排気口の先端に設置されたドレン排水ノズルによりスプレー排水させることを特徴とする。
【考案の効果】
【００１０】  本考案によれば、既設の空気調和機が、稼働中に工事が可能であり、設置を必要とする場所から空気調和機を設置することができる。また、大規模な工事とならず、工事費用も安価にすることができる。一体型空気調和機なので、冷媒配管等、現場工事で人的加工が不要となり、ヒューマンエラーによる誤配管、誤配線を防止することができる。
【図面の簡単な説明】
【００１１】
【図１】本考案の空気調和機を適用した一例を示す断面図である。
【図２】冷媒ガスの流れを示す断面図である。
【図３】ドレン水の流れを示す断面図である。
【図４】吸気排気口の断面図である。
【考案を実施する為の形態】
【００１２】  以下、本考案の空気調和機における熱源空気の吸気、熱源熱交換器で熱交換した後の排気の流れ、ヒートポンプシステムによる冷媒の流れ、ドレン水の空気中に霧状に散布する実施の形態を図面に基づいて説明する。図１〜図４に本考案の空気調和機の一例を示す。
【実施例】
【００１３】  図１に示すように、熱源機空調機一体型空気調和機１は、筐体２２の上下を仕切る筐体内部の仕切板１９と、一方に熱源機ユニット２３、他方に空調機ユニット２４とを備えることにより、空調吸気口４より取り入れた室内空気を空調熱交換器２において熱交換する事により冷却した後、空調吹出口１８から送り出すようにし、さらに、外部空気を熱源用送風機６により吸気口９−ａを通じ熱源用熱交換器８を通過し、排気口９−ｂより排気する。その際、空調用熱交換器２により冷却して発生するドレン水をドレン配管１を経てドレン水槽１３に一時的に貯蓄するドレン水槽１３を設けるようにする。【００１４】  図２に示すように、冷房時は圧縮機５より圧縮された高温高圧の冷媒ガスが熱源用熱交換器８により冷却凝縮され、膨張弁１７により液冷媒が低圧気化され空調用熱交換器２内で空調用送風機３に送られた空気を冷却し、圧縮機５に戻るようにする。
暖房時は、圧縮機５より圧縮された高温高圧の冷媒ガスが空調用熱交換器２にて室内空気と熱交換され、液冷媒となり膨張弁１７を通り熱源用熱交換器８にて気化冷媒を外部空気により温度上昇させ圧縮機５に戻るようにする。【００１５】  図３に示すように、冷房時に空調用熱交換器２により発生するドレン水は、冷房時ドレン配管１１を経てドレン水槽１３に貯蓄し水位スイッチ１２が上がると、ドレン排水ポンプ７が作動し、ドレン排水管１４を経てドレン排水ノズル１０より大気中へ霧状に散布する。【００１６】  図３に示すように、暖房時は、熱源用熱交換器８に付着した霜を、霜取りにより発生したドレン水は、暖房時ドレン配管１５を経てドレン水槽１３に貯蓄し、水位スイッチ１２が上がると、ドレン排水ポンプ７が作動しドレン排水管１４を経て、ドレン排水ノズル１０より大気中へ霧状に散布する。【００１７】  図４に示すように、吸気排気口９の内部は、上下に２分割され、下部に吸気口９−ａ、上部に排気口９−ｂを備え、上部の排気口の先端にドレン排水ノズル１０を設置するようにする。
【符号の説明】
【００１８】  １  熱源空調一体型空気調和機
２  空調用熱交換器
３  空調用送風機
４  空調吸気口
５  圧縮機
６  熱源用送風機
７  ドレン排水ポンプ
８  熱源用熱交換器
９  吸気排気口
９−ａ  吸気口
９−ｂ  排気口
１０  ドレン排水ノズル
１１  冷房時ドレン配管
１２  水位スイッチ
１３  ドレン水槽
１４  ドレン排水管
１５  暖房時ドレン配管
１６  四路冷媒切替弁
１７  膨張弁
１８  空調吹出口
１９  筐体内部の仕切板
２０  外壁
２１  床面
２２  筐体
２３  空調機ユニット
２４  熱源機ユニット
【図１】
0003227954.tif 000003
【図２】
0003227954.tif 000004
【図３】
0003227954.tif 000005
【図４】
0003227954.tif 000006